(57)【要約】  耐候性シート材料を含んでなる空気流入防止スカートは、壁開口部に設置される窓の下部に取り付けられ、開口部の全幅であり、窓の直下の壁に延在するのに十分な長さである。スカートは、スカートの左右の両側に沿って壁にシールされており、下端はシールされないままである。スカートは、水分は排水可能としながら、風で吹き寄せられた雨および空気が窓−壁界面を貫通するのを防ぐ。
2008523285.tif 000002
【特許請求の範囲】
【請求項１】
耐候性シート材料片を含んでなる空気流入防止スカートを用いて、壁開口部への窓の設置中、窓の雨仕舞をする方法であって、前記スカートが、上端、下端および２つの側端を有し、前記窓の幅に少なくとも等しい幅と、前記壁開口部の最低部の下に前記スカートが延在するのに十分な長さとを有し、
ａ）前記スカートの前記上端がその前記幅に沿って連続的に前記窓の前記下部に取り付けられており、
ｂ）前記窓が前記壁開口部に設置されており、
ｃ）前記スカートの前記側端が前記壁にシールされており、
前記スカートが前記窓の下の前記壁の外装表面をカバーし、排水路が維持されるよう、前記スカートの前記下端が前壁に完全にシールされていない方法。
【請求項２】
前記空気流入防止スカートの前記長さが、前記壁開口部の前記最低部の下少なくとも約４インチ前記スカートが延在するのに十分なものである請求項１に記載の方法。
【請求項３】
前記窓が下部表面を有するフランジのない窓であり、前記空気流入防止スカートが前記窓の前記下部表面に取り付けられている請求項１に記載の方法。
【請求項４】
前記窓が外装側と内装側とを有する下部フランジを有するフランジのある窓であり、前記空気流入防止スカートが前記窓の前記フランジの外装側に取り付けられている請求項１に記載の方法。
【請求項５】
構造物の壁開口部の窓割り製品に用いる空気流入防止スカートであって、耐候性シート材料を含んでなり、上端と下端とを有し、前記スカートの前記上端が、前記窓割り製品の前記下端に前記スカートを取り付けるのに好適な接着剤表面を有し、前記スカートが前記壁開口部と少なくとも同じ広さであり、前記壁開口部の前記下部の下に延在するのに十分な長さである空気流入防止スカート。
【請求項６】
前記長さが、前記壁開口部の前記下部の下少なくとも約４インチ延在するのに十分である請求項５に記載の方法。
【請求項７】
前記耐候性シート材料がフラッシュスパンポリエチレンシートである請求項５に記載のスカート。
【発明の詳細な説明】
【技術分野】
【０００１】
本発明は、空気流入防止スカートおよび空気流入防止スカートを用いる方法に関する。
【背景技術】
【０００２】
建築構造物に用いる窓、ドアおよびその他窓割り製品（「窓」）の設置に現在用いられている排水方法は、窓の前部（外装側）で開いていて、背面（内装側）でシールされている下枠パンを用いている。これによって、建築物の外装からの湿った空気および風で吹き寄せられた雨が、窓−壁界面を貫通する。この結果、窓の熱性能が減じ、窓の縦枠は外気に露出され、建築物の内部から出る空気および水を保持する主要保護シールである内部シールの老化が加速される。
【０００３】
激しい風および風で吹き寄せられた雨に露出される高い建築物および地理的領域の場合など、風荷重の高いときに、窓の下枠下で空気および水が特に侵入しやすい。下枠パンは建築物の前または外側に開いていて、背面にシールされているため、特に、建築物の外装が高い風荷重および風で吹き寄せられた雨を受けるとき、建築物の内部の空気とはかなり異なる温度および水分含量である外気が窓の外側面を貫通するのを防ぐシールはない。この露出は、経時による内部シールの耐久性に影響を与える。特に、市販のフランジのない窓は、風を防止する保護フランジがないこれらの窓の元来の設計のために、下枠の下部枠下に空気が貫通する傾向がさらにある。窓枠と下枠パンとの間の風で吹き寄せられた雨は、内部シールおよび縦枠雨仕舞で水分を取り入れ、熱性能、シール耐久性および適切な排水に影響を与える可能性がある。
【発明の開示】
【課題を解決するための手段】
【０００４】
本発明は、耐候性シート材料片を含んでなる空気流入防止スカートを用いて、壁開口部への窓の設置中、窓の雨仕舞をする方法であって、スカートが、上端、下端および２つの側端を有し、窓の幅に少なくとも等しい幅と、壁開口部の最低部の下にスカートが延在するのに十分な長さとを有し、
ａ）スカートの上端がその幅に沿って連続的に窓の下部に取り付けられており、
ｂ）窓が壁開口部に設置されており、
ｃ）スカートの側端が壁にシールされており、スカートが窓の下の壁の外装表面をカバーし、排水路が維持されるよう、スカートの下端が壁に完全にシールされていない方法に係る。
【０００５】
本発明はまた、上述した方法に用いる空気浸透防止スカートにも係る。
【０００６】
定義
「下枠パン」という用語は、水分を排水するために、建築物の外装に開いていて、建築物の内装にシールされた、建築物のラフ壁開口部の下枠位置に配置された狭い容器のことを指す。
【０００７】
「窓」という用語は、建築物の壁開口部に設置された、窓またはその他窓割り製品（例えば、ドア、通気孔、ユーティリティ供給ボックス等）を指す、「窓割り製品」と本明細書においては同じ意味で用いられる。
【０００８】
「窓下枠」または「下枠」という用語は、窓枠の下部のことを指す。窓下枠は、一般的に水平である。
【０００９】
「雨仕舞」という用語は、雨仕舞製品、例えば、建築構造物に用いるのに好適な自己接合雨仕舞製品またはその他耐候性テープと、本明細書においては同じ意味で用いられる。
【００１０】
「フランジのある窓」という用語は、窓枠と壁のラフ開口部との間のスペースをカバーする目的のフランジまたは釘止め用つばを含む窓、ドアまたはその他窓割り製品のことをを指す。フランジまたはつばは、窓割り製品と一体化または付けられている。
【００１１】
「フランジのない窓」という用語は、窓枠と壁のラフ開口部との間のスペースをカバーする目的のフランジまたは釘止め用つばを含まない窓のことを指す。
【００１２】
本明細書に組み込まれ一部を構成する添付の図面は、本発明の現在考えらる実施形態を示すものであり、明細書の記載と共に、本発明の原理を説明する役割を果たす。
【発明を実施するための最良の形態】
【００１３】
本発明の好ましい実施形態について詳細を述べ、その実施例を添付の図面に示す。図面全体にわたって、同様の要素を指すのに同様の参照番号を用いている。
【００１４】
本発明は、風で吹き寄せられた雨が、開口部、または開口部に設置された下枠パンと、窓（またはその他窓割り製品）との間の建築物の壁開口部に入るのを防ぎ、窓の外装面を通る空気の流入を最小にし、同時に、窓開口部内から窓の下の空気流入防止スカートの下にある建築物の外装へ水分の排水を行うための、空気流入防止スカートを用いる新規な雨仕舞法に関する。
【００１５】
本発明により設置される空気流入防止スカートを図１に示す。空気流入スカートは、外装被覆材料例えば、デラウェア州、ウィルミントンのイー・アイ・デュポン・ドゥ・ヌムール・アンド・カンパニー（Ｅ．Ｉ．ｄｕ  Ｐｏｎｔ  ｄｅ  Ｎｅｍｏｕｒｓ  ａｎｄ  Ｃｏｍｐａｎｙ，Ｗｉｌｍｉｎｇｔｏｎ，Ｄｅｌａｗａｒｅ）（デュポン（ＤｕＰｏｎｔ））より入手可能なタイベック（Ｔｙｖｅｋ）（登録商標）ホームラップ（ＨｏｍｅＷｒａｐ）（登録商標）に一般的に付けられる耐候性材料の上に、それに加えて設置されるものである。空気流入防止スカート（「スカート」とも呼ばれる）１０は、壁１７の開口部の少なくとも全幅である耐候性シート材料片からなる。このように、スカート幅は、窓１２の幅より広く、かつ、壁１７に固定できるよう、壁開口部の最低部より下にスカートを延在させるのに十分に長くしなければならない。スカートは、壁開口部の最低部の下少なくとも約４インチ延在しているのが好ましい。スカートは、図１に示すとおり、窓の各側に沿って雨仕舞片１５により、または窓の側部に沿ったその他の接着手段により壁に固定されていてもよい。スカートによって、建築物から水が流れ出る窓の下に排水路（図１の矢印で示す）を維持できるが、スカートによって、風で吹き寄せられた雨が建築物に入らないようにするという点で、スカートが一方向逆止弁として機能するよう、空気流入防止スカートはスカートの下部に沿ってはシールされていない。壁自身を水分から完全に保護するために、壁開口部の下枠部分は、建築業者および窓設置業者に公知の標準的な手順に従って、下枠雨仕舞１３で雨仕舞するのが有利であることに注意する。
【００１６】
図２に、窓１２がフランジのある窓であるときの窓設置の側面図を示す。可撓性自己接合テープ１０ａ、例えば、デュポンストレートフラッシュ（ＤｕＰｏｎｔ  ＳｔｒａｉｇｈｔＦｌａｓｈ）（登録商標）雨仕舞（デュポン（ＤｕＰｏｎｔ）より入手可能）またはその他好適な接着剤テープの片を、スカートの耐候性シート材料１０ｂの上端に配置して、接着剤の少なくとも約１インチが露出されたままとする。露出した接着剤を、窓の下枠でフランジの外装側に、または図３のようなフランジのない窓の場合には窓下枠の下部に接合する。いずれの場合も、接着剤はスカートをその全幅に沿って窓に連続的にシールする。窓を適所にセットし、雨仕舞の側片を窓の両側に沿って接合して、窓を壁にシールする。雨仕舞の側片は、図１に示すとおり、スカートの下部を通して壁に接合されているのが有利であり、それによって、スカートの端部が壁に固定される。スカートがスカート１０の下端に沿ってシールされていないため、排水路は維持される。窓の下の壁をカバーするスカートの存在が、風で吹き寄せられた雨および空気が窓の外側面を貫通するのを防ぐ。
【００１７】
空気流入防止スカートは、任意の好適な耐候性シート材料で作製することができる。タイベック（Ｔｙｖｅｋ）（登録商標）ホームラップ（ＨｏｍｅＷｒａｐ）（登録商標）（デュポン（ＤｕＰｏｎｔ）より入手可能）などのフラッシュスパンポリエチレンシートを用いてもよい。
【００１８】
良好な接着力を有するテープ片を設置したスカートの左右側部の全長に付けて、建築物の建設中、風によってスカートが損傷するのを防ぐ。例えば、デュポンストレートフラッシュ（ＤｕＰｏｎｔ  ＳｔｒａｉｇｈｔＦｌａｓｈ）（登録商標）（デュポン（ＤｕＰｏｎｔ）より入手可能）などの自己接合雨仕舞を用いてもよい。
【図面の簡単な説明】
【００１９】
【図１】本発明による空気流入防止スカートを用いた窓設置の正面図（建築物外装）である。
【図２】本発明による空気流入防止スカートを用いたフランジのある窓設置の側面図である。
【図３】本発明による空気流入防止スカートを用いたフランジのない窓設置の側面図である。
【図１】
2008523285.tif 000003
【図２】
2008523285.tif 000004
【図３】
2008523285.tif 000005
【手続補正書】
【提出日】平成19年6月14日(2007.6.14)
【手続補正１】
【補正対象書類名】特許請求の範囲
【補正対象項目名】全文
【補正方法】変更
【補正の内容】
【特許請求の範囲】
【請求項１】
耐候性シート材料片を含んでなる空気流入防止スカートを用いて、壁開口部への窓の設置中、窓の雨仕舞をする方法であって、前記スカートが、上端、下端および２つの側端を有し、前記窓の幅に少なくとも等しい幅と、前記壁開口部の最低部の下に前記スカートが延在するのに十分な長さとを有し、
ａ）前記スカートの前記上端がその前記幅に沿って連続的に前記窓の前記下部に取り付けられており、
ｂ）前記窓が前記壁開口部に設置されており、
ｃ）前記スカートの前記側端が前記壁にシールされており、
前記スカートが前記窓の下の前記壁の外装表面をカバーし、排水路が維持されるよう、前記スカートの前記下端が前壁に完全にシールされていない方法。
【請求項２】
構造物の壁開口部の窓割り製品に用いる空気流入防止スカートであって、耐候性シート材料を含んでなり、上端と下端とを有し、前記スカートの前記上端が、前記窓割り製品の前記下端に前記スカートを取り付けるのに好適な接着剤表面を有し、前記スカートが前記壁開口部と少なくとも同じ広さであり、前記壁開口部の前記下部の下に延在するのに十分な長さである空気流入防止スカート。
【手続補正２】
【補正対象書類名】明細書
【補正対象項目名】００１８
【補正方法】変更
【補正の内容】
【００１８】
良好な接着力を有するテープ片を設置したスカートの左右側部の全長に付けて、建築物の建設中、風によってスカートが損傷するのを防ぐ。例えば、デュポンストレートフラッシュ（ＤｕＰｏｎｔ  ＳｔｒａｉｇｈｔＦｌａｓｈ）（登録商標）（デュポン（ＤｕＰｏｎｔ）より入手可能）などの自己接合雨仕舞を用いてもよい。
本発明の主な特徴及び態様を挙げれば以下のとおりである。
１．耐候性シート材料片を含んでなる空気流入防止スカートを用いて、壁開口部への窓の設置中、窓の雨仕舞をする方法であって、前記スカートが、上端、下端および２つの側端を有し、前記窓の幅に少なくとも等しい幅と、前記壁開口部の最低部の下に前記スカートが延在するのに十分な長さとを有し、
ａ）前記スカートの前記上端がその前記幅に沿って連続的に前記窓の前記下部に取り付けられており、
ｂ）前記窓が前記壁開口部に設置されており、
ｃ）前記スカートの前記側端が前記壁にシールされており、
前記スカートが前記窓の下の前記壁の外装表面をカバーし、排水路が維持されるよう、前記スカートの前記下端が前壁に完全にシールされていない方法。
２．前記空気流入防止スカートの前記長さが、前記壁開口部の前記最低部の下少なくとも約４インチ前記スカートが延在するのに十分なものである上記１に記載の方法。
３．前記窓が下部表面を有するフランジのない窓であり、前記空気流入防止スカートが前記窓の前記下部表面に取り付けられている上記１に記載の方法。
４．前記窓が外装側と内装側とを有する下部フランジを有するフランジのある窓であり、前記空気流入防止スカートが前記窓の前記フランジの外装側に取り付けられている上記１に記載の方法。
５．構造物の壁開口部の窓割り製品に用いる空気流入防止スカートであって、耐候性シート材料を含んでなり、上端と下端とを有し、前記スカートの前記上端が、前記窓割り製品の前記下端に前記スカートを取り付けるのに好適な接着剤表面を有し、前記スカートが前記壁開口部と少なくとも同じ広さであり、前記壁開口部の前記下部の下に延在するのに十分な長さである空気流入防止スカート。
６．前記長さが、前記壁開口部の前記下部の下少なくとも約４インチ延在するのに十分である上記５に記載の方法。
７．前記耐候性シート材料がフラッシュスパンポリエチレンシートである上記５に記載のスカート。
【国際調査報告】
2008523285.tif 000006
2008523285.tif 000007